(57)【要約】性行為感染症の感染に対して保護するためのコンドームであって、それは閉鎖端と開放端を持つ柔軟な薄壁チューブを含み、前記開放端はそれを放射状に引き伸ばすための手段を持ち、この手段は陰茎の基部を覆うように前記チューブに対して垂直方向に延びるカラーを含む。
2005527263.tif 000002
【特許請求の範囲】
【請求項１】
性行為感染症の感染に対して保護しかつ使用者の陰茎上に置かれることができるコンドームであって、このコンドームが閉鎖端と開放端を持つ柔軟な薄壁チューブを含み、前記開放端が前記開放端を放射状に引き伸ばすための手段を持つものにおいて、前記開放端を放射状に引き伸ばすための手段がカラーを含み、かつこのカラーが性交時に陰茎の基部を覆うように前記チューブに対して垂直な方向に延びることを特徴とするコンドーム。
【請求項２】
前記開放端を放射状に引き伸ばすための手段が前記チューブと略同じ直径を持ちかつチューブに関してカラーを境界付けるリングを含むことを特徴とする請求項１に記載のコンドーム。
【請求項３】
カラーが陰嚢に向けて延びる長い突起を含むことを特徴とする請求項１及び２のいずれかに記載のコンドーム。
【請求項４】
カラーが柔軟な薄壁チューブより硬い材料から作られることを特徴とする請求項１から３のいずれか一つに記載のコンドーム。
【請求項５】
カラーが柔軟な薄壁チューブより厚い材料から作られることを特徴とする請求項１から４のいずれか一つに記載のコンドーム。
【請求項６】
カラーが陰茎の基部と接触して維持されるように柔軟な薄壁チューブの長さが選ばれることを特徴とする請求項１から５のいずれか一つに記載のコンドーム。
【請求項７】
前記カラーと前記チューブが一体片で作られることを特徴とする請求項１から６のいずれか一つに記載のコンドーム。
【請求項８】
前記カラーと前記チューブが二つの別個の部品から作られることを特徴とする請求項１から６のいずれか一つに記載のコンドーム。
【請求項９】
前記カラーが前記柔軟な薄壁チューブを固定するための手段を含むことを特徴とする請求項８に記載のコンドーム。
【請求項１０】
前記柔軟な薄壁チューブを固定するための前記手段が溝を含むことを特徴とする請求項９に記載のコンドーム。
【請求項１１】
柔軟な薄壁チューブが天然ゴムラテックス（ＮＲＬ）、ポリエチレン、ポリウレタン及びこれらの材料の誘導体及び混合物のような高分子材料から作られることを特徴とする請求項１から１０のいずれか一つに記載のコンドーム。
【発明の詳細な説明】
【技術分野】
【０００１】
本発明は男性用コンドームに関する。
【背景技術】
【０００２】
同性愛及び両性愛の男性中のエイズの発生率は安定していることが観察されているが、感染した異性愛人口の割合はなお増加しており−これらの場合の殆どは予防措置なしの性的関係の放縦から発生する。
【０００３】
エイズ及び他の性行為感染症（ＳＴＤｓ）に対する闘病は大きな問題である。成人アメリカ人口の５分の１が例えば性行為感染症をわずらっており、これは不育症または癌の原因であり、かつエイズに対する弱点を増やす。
【０００４】
コンドームはこれらの病気に対する最良の障壁であるが、この効果は特に覆われる身体の部分及びそれが用いられる方法に依存する。
【０００５】
効果的であるためには、陰茎が柔らかくなるときコンドームが離れて落ちないように射精後直ちに引き抜くことが男性のために必要である。男性は常に精液が膣または肛門中に漏れないようにその陰茎がまだ勃起している間に引き抜くべきである。これは楽しみを減じるので、この慣例は自動的に顧慮されない。
【０００６】
現時点で、多数のコンドームが市販されている。
【０００７】
男性用コンドームの一つの欠点は精液が陰茎とコンドームの間に流れて彼のパートナーの粘膜と接触することとなるのを防ぐために男性は射精後直ちに陰茎を引き抜かなければならないことである。
【発明の開示】
【０００８】
本発明の目的は性行為感染症に感染する危険を減らすコンドームを提案することである。また本発明の目的はパートナー間の性的体液の通過の危険を減らすことである。
【０００９】
この目的のために、本発明は開放端を放射状に引き伸ばすための手段が性交時に陰茎の基部を覆うようにチューブに対して垂直方向に延びるカラーまたは縁を含むことを特徴とするコンドームを提案する。
【００１０】
従来のコンドームは一般にそれらが非常に長いとしても勃起した陰茎をその全長にわたって覆わず、コンドームにより覆われていない陰茎の基部がコンドームの限界を越えて挿入された場合に女性の体液と接触することとなる危険がある。その時、射精後の引き抜き時にコンドームの基部を手で保持することができない。
【００１１】
陰茎の基部を覆うカラーはコンドームを一定の場所に保ち、パートナーの体液間の接触が妨げられるので病気の感染を防ぐ効果的な方法である。カラーは効果的な障壁を形成し、陰茎の深過ぎる挿入を防ぐ。
【００１２】
カラーは陰門または肛門の外側に残るので、男性は射精後の陰茎の引き抜き時にコンドームを保持することができる。もし精液が陰茎とコンドームの間に流出したとしても、それはカラーの存在のためパートナーの粘膜と接触することとならないであろう。これはこのカラーを持たない既知のコンドームを越える少なからぬ利点を構成する。既知のコンドームでは射精後に陰茎が滑り出された後にコンドームが膣または肛門の内側に詰って残ることが起こるかもしれない。
【００１３】
第一の有利な実施例によれば、放射状に開放端を引き伸ばす手段は前記チューブと略同じ直径を持ちかつチューブに関してカラーを境界付けるリングを含む。チューブの開放端は例えばその外周周りにカラーを含むプラスチックリングを用いて開放状態に保たれる。
【００１４】
有利には、カラーは陰嚢に向けて延びる長い突起または舌片を含む。好ましくは、この舌片は性交時の女性の陰門と肛門の間に位置する領域を覆う。
【００１５】
有利には、カラーは薄く柔軟なチューブより硬い材料及び／または厚い材料から作られる。
【００１６】
好適実施例では、柔軟な薄壁チューブの長さはカラーが陰茎の基部と接触して維持されるように選ばれる。コンドームの快適さを増加する観点で、カラーが陰嚢及び恥骨に対して永続的に押圧されて維持されるのが好ましい。陰茎は異なる寸法を持つので、種々の長さのコンドームを入手可能とするのが好ましい。また種々の幅のカラーを提供することもできるであろう。
【００１７】
好適実施例では、維持されるカラーとチューブは一体片で作られる。これに代えて、カラーとチューブは二つの別個の片で作られる。そのときカラーは前記薄壁チューブを固定するための例えば溝のような手段を含み、この溝内にチューブの開放端が固定される。
【００１８】
有利には、柔軟な薄壁チューブは天然ゴムラテックス（ＮＲＬ）、ポリエチレン、ポリウレタン及びこれらの材料の誘導体及び混合物のような高分子材料から作られる。コンドームは内側及び／または外側を快適さを改善するのに適当な潤滑剤で潤滑されることができる。
【００１９】
この発明の他の特徴は実施例においてかつコンドームを示す図に関して、非限定方式で説明される。
【００２０】
勃起した陰茎が挿入されることができるコンドーム１０は閉鎖端２０と開放端２５を持つ柔軟な薄壁チューブ１５を含む。開放端２５は前記チューブ１５と略同じ直径を持ちかつチューブ１５に関してカラー３５を境界付けるリング３０を含む。チューブ１５の開放端２５はこのリング３０を用いて開放状態に保たれる。リング３０はその外周に薄い柔軟チューブより手ざわりが硬い材料から作られたカラー３５を含む。カラー３５は陰茎の基部を覆うように前記チューブ１５に対し垂直な方向に延びる。コンドーム１５はまた性行為感染症の感染に対して良好な保護並びに計画的でない妊娠に対して有効な保護を提供する。陰茎の基部に対して実質的に垂直に延びかつ薄いチューブにより覆われている陰茎の部分を越えて過度に深く挿入される危険を減らすカラーは、このコンドームを標準の男性用コンドームより安全とする。このリングは性交中及び性交後にコンドームを所定位置に保つ。コンドームは性交時に陰茎上の所定場所に保たれ、同様にカラーは原則として移動しない。
【００２１】
チューブ及びカラーの厚さは変えることができ、より厚い壁及びカラー厚さは性交時の感度を減少する。チューブに対する典型的な厚さは２０〜１００ミクロンの間にあり、一方カラーはより厚い。
【００２２】
もちろん、壁厚は種々の国で有効な規格により規定された耐機械的応力性が保証されるようなものでなければならない。本発明によるコンドームの寸法は原則として標準的なコンドームの寸法と同一である。
【００２３】
カラー３５は肛門に向いて延びる長い突起または舌片４０を含み、この舌片は陰門に対して平行にかつコンドームのチューブ状部に対して垂直に置かれている。舌片４０は使用者の陰嚢と性交時の女性の陰門と肛門の間に位置する領域を覆う。
【００２４】
コンドーム１０は種々の長さで製造されることができ、すなわちチューブ１５の長さは使用者の陰茎の寸法に依存して異なることができ、従って各使用者に対してカラー３５は陰茎の基部及び恥骨と接触して維持される。一般に、カラー３５の幅は１〜４ｃｍの間、好ましくは１〜２ｃｍの間にある。もちろん、カラー３５の幅は必ずしも特にその周囲に渡って均一である必要はない。
【００２５】
コンドーム１５は天然ゴムラテックス（ＮＲＬ）、ポリエチレン、ポリウレタン及びこれらの材料の誘導体及び混合物のような高分子材料から作られる。コンドーム１５は内側及び／または外側を快適さを改善するに十分な潤滑剤で潤滑されることができる。
【００２６】
標準的な男性用コンドームと異なり、本発明によるコンドームは射精後直ちに除去する必要はない。
【図面の簡単な説明】
【００２７】
【図１】図はコンドームを示す。
【図１】
2005527263.tif 000003
【手続補正書】
【提出日】平成16年2月18日(2004.2.18)
【手続補正１】
【補正対象書類名】明細書
【補正対象項目名】０００５
【補正方法】変更
【補正の内容】
【０００５】
効果的であるためには、陰茎が柔らかくなるときコンドームが離れて落ちないように射精後直ちに引き抜くことが男性のために必要である。男性は常に精液が膣または肛門中に漏れないようにその陰茎がまだ勃起している間に引き抜くべきである。これは楽しみを減じるので、この慣例は自動的に顧慮されない。特許出願ＰＣＴＷＯ９８／３６７１６はチューブに垂直に固定されたカラーを含むコンドームを開示する。このコンドームは女性の膣中に挿入されることを意図している。
【手続補正２】
【補正対象書類名】明細書
【補正対象項目名】００１６
【補正方法】変更
【補正の内容】
【００１６】
コンドームの快適さを増加する観点で、カラーが陰嚢及び恥骨に対して永続的に押圧されて維持されるのが好ましい。陰茎は異なる寸法を持つので、種々の長さのコンドームを入手可能とするのが好ましい。また種々の幅のカラーを提供することもできるであろう。
【手続補正３】
【補正対象書類名】明細書
【補正対象項目名】００１７
【補正方法】削除
【補正の内容】
【手続補正書】
【提出日】平成16年6月8日(2004.6.8)
【手続補正１】
【補正対象書類名】特許請求の範囲
【補正対象項目名】全文
【補正方法】変更
【補正の内容】
【特許請求の範囲】
【請求項１】
性行為感染症の感染に対して保護しかつ使用者の陰茎上に置かれることができるカラーを含む男性用コンドームであって、このコンドームが閉鎖端と開放端を持つ柔軟な薄壁チューブを含み、前記開放端が前記開放端を放射状に引き伸ばすための手段を持ち、かつこのカラーが性交時に陰茎の基部を覆うように前記チューブに対して垂直な方向に延びるものにおいて、前記カラーと前記チューブが二つの別個の部品から作られることを特徴とするコンドーム。
【請求項２】
前記開放端を放射状に引き伸ばすための手段が前記チューブと略同じ直径を持ちかつチューブに関してカラーを境界付けるリングを含むことを特徴とする請求項１に記載のコンドーム。
【請求項３】
カラーが陰嚢に向けて延びる長い突起を含むことを特徴とする請求項１及び２のいずれかに記載のコンドーム。
【請求項４】
カラーが柔軟な薄壁チューブより硬い材料から作られることを特徴とする請求項１から３のいずれか一つに記載のコンドーム。
【請求項５】
カラーが柔軟な薄壁チューブより厚い材料から作られることを特徴とする請求項１から４のいずれか一つに記載のコンドーム。
【請求項６】
カラーが陰茎の基部と接触して維持されるように柔軟な薄壁チューブの長さが選ばれることを特徴とする請求項１から５のいずれか一つに記載のコンドーム。
【請求項７】
前記カラーが前記柔軟な薄壁チューブを固定するための手段を含むことを特徴とする請求項１から６のいずれか一つに記載のコンドーム。
【請求項８】
前記柔軟な薄壁チューブを固定するための前記手段が溝を含むことを特徴とする請求項７に記載のコンドーム。
【請求項９】
柔軟な薄壁チューブが天然ゴムラテックス（ＮＲＬ）、ポリエチレン、ポリウレタン及びこれらの材料の誘導体及び混合物のような高分子材料から作られることを特徴とする請求項１から８のいずれか一つに記載のコンドーム。
【手続補正２】
【補正対象書類名】明細書
【補正対象項目名】０００９
【補正方法】変更
【補正の内容】
【０００９】
この目的のために、本発明は性行為感染症の感染に対して保護するための男性用コンドームを提供し、それは柔軟な薄壁チューブとカラーを含み、このカラーは性交時に陰茎の基部を覆うように前記チューブに対して垂直方向に延びる。カラーとチューブは二つの別個の部品から作られる。カラーは例えば溝のような薄壁チューブを固定するための手段を含み、この溝の中に薄いチューブの開放端が収容される。
【手続補正３】
【補正対象書類名】明細書
【補正対象項目名】００１３
【補正方法】変更
【補正の内容】
【００１３】
第一の有利な実施例によれば、カラーは前記チューブと略同じ直径を持ちかつチューブに関してカラーを境界付けるリングを含む。チューブの開放端は例えばその外周周りにカラーを含むプラスチックリングを用いて開放状態に保たれる。


【国際調査報告】
2005527263.tif 000004
2005527263.tif 000005
2005527263.tif 000006
2005527263.tif 000007